(57)【要約】【課題】収納ケースを複数枚集積した場合、互いの収納ケース同士は一体化されていないので、衝撃、振動等により散乱してしまうため、机上などで収納ケースを整理には不便である。【解決手段】内部に情報記録媒体収納部が形成された収納ケースであって、前記収納ケースの一側表面にマグネットを配置するとともに、前記収納ケースの反対側の表面に、前記一側のマグネットに対応する位置にもマグネットを配置し、前記収納ケースのマグネットを、別の収納ケースのマグネットに脱着自在に吸着して、複数枚の収納ケースを積層一体化可能に構成した情報記録媒体収納ケースが提供される。【選択図】図１
2005206228.tif 000002
【特許請求の範囲】
【請求項１】
内部に情報記録媒体収納部が形成される収納ケースであって、前記収納ケースの少なくとも一側表面にマグネットを配置したことを特徴とする情報記録媒体用収納ケース。
【請求項２】
請求項１に記載の情報記録媒体用収納ケースにおいて、前記一側表面の反対側の表面にもマグネットを配置したことを特徴とする情報記録媒体用収納ケース。
【請求項３】
請求項１に記載の情報記録媒体用収納ケースにおいて、マグネットを前記収納ケースの片側に両側表面に貫通して配置したことを特徴とする情報記録媒体用収納ケース。
【請求項４】
内部に情報記録媒体収納部が形成される収納ケースであって、前記収納ケースの一側表面にマグネットを配置するとともに、前記収納ケースの反対側の表面に、前記一側のマグネットに対応する位置にもマグネットを配置し、前記収納ケースのマグネットを、別の収納ケースのマグネットに脱着自在に吸着して、複数枚の収納ケースを積層一体化可能に構成したことを特徴とする情報記録媒体用収納ケース。
【請求項５】
内部に情報記録媒体収納部が形成される収納ケースであって、前記収納ケースの一側表面にマグネットを配置するとともに、前記収納ケースの反対側の表面に、前記一側のマグネットに対応する位置にマグネット吸着可能な材料からなる部材を配置し、前記収納ケースのマグネットを、別の収納ケースのマグネットに脱着自在に吸着して、複数枚の収納ケースを積層一体化可能に構成したことを特徴とする情報記録媒体用収納ケース。
【発明の詳細な説明】
【技術分野】
【０００１】
本発明は、ＣＤやＤＶＤなどの情報記録媒体を収納するための収納ケースの構造に係り、さらに詳細には収納ケース同士を机上などで集積する際の収納ケースの構造に関する。
【背景技術】
【０００２】
持ち運び可能な情報記録媒体は、音楽データや映像、パソコン上で扱うファイルを手軽に移動することが出来、機器間でのデータ利用の一形態として重要なツールである。これらの情報記録媒体として従来から用いられているＣＤやＤＶＤなどの光ディスクは、ミニディスクや光磁気ディスクと異なり記録面が露出しているため、移動する際や保管時には破損などを防止するため、従来よりプラスチックなどからなる収納ケースに収納することが行われている。このような収納ケースとしては、例えば、図４に図示したような構造の収納ケースが用いられている。
【０００３】
ところが、このような収納ケースを複数枚集積した場合、互いの収納ケース同士は一体化されていないので、衝撃、振動等により散乱してしまうため、机上などで収納ケースを整理には不便である。そのため、収納ケースを複数枚収納するための別ケースを購入して収納ケースを整理したり、また、特許文献１では、収納ケースに収納ケース同士を一体化するための嵌合用の凹凸を収納ケース設けて、複数枚の収納ケースを一体化する収納ケースが提案されている。
【０００４】
【特許文献１】特開平９−３０１４７２号公報
【発明の開示】
【発明が解決しようとする課題】
【０００５】
しかしながら上記技術では、嵌合用の凹凸がプラスチック成形により、収納ケースと一体に形成されているため、着脱の繰り返しにより凹凸が破損や、収納ケース同士の位置決めを確実に行わないと、収納ケース同士を嵌合することが難しい。また、商品として陳列する場合、通常はシュリンクフィルムにより包装されている為、包装されている状態で収納ケース同士を嵌合することは出来ない。
【０００６】
本発明は、上記従来技術の課題を解決するためになされたものであり、本発明の目的は、収納ケースを容易で確実に一体化し、且つシュリンクフィルムにより包装された状態であっても、収納ケース同士を一体化するための手段を提供することにある。
【課題を解決するための手段】
【０００７】
本発明の態様に従えば、内部に情報記録媒体収納部が形成された収納ケースであって、前記収納ケースの一側表面にマグネットを配置するとともに、前記収納ケースの反対側の表面に、前記一側のマグネットに対応する位置にもマグネットを配置し、前記収納ケースのマグネットを、別の収納ケースのマグネットに脱着自在に吸着して、複数枚の収納ケースを積層一体化可能に構成した情報記録媒体収納ケースが提供される。複数枚の収納ケースを一体化する手段としてマグネットを用いたので、収納ケース自体の大きさや向きが多少異なった場合でも、容易に収納ケース自体を一体化することが確実に行える。また、一体化手段がマグネットであるので、包装された状態であっても、シュリンクフィルム程度の厚さなら容易にマグネットの磁力により収納ケース同士の着脱が容易である。さらにはマグネットを用いているので、マグネット吸着可能なもの、例えばスチール製の机や棚などに貼り付けることも可能である。
【０００８】
また、場合によっては他方のマグネットを、マグネット吸着可能な材料かならる部材を用いても同様の効果が得られる。
【発明の効果】
【０００９】
本発明の収納ケースを用いることにより、収納ケース同士の着脱が容易に行うことが出来、情報記録媒体の整理が効率的に出来る。
【発明を実施するための最良の形態】
【００１０】
以下、本発明に従う実施例について説明するが、本発明はこれに限定されるものではない。
【実施例１】
【００１１】
図１に、本発明の収納ケースをディスクを取り出すために開いた状態の一例を示す図である。収納ケース１は通常のＣＤケースと同じ寸法で、ポリプロピレン製である。厚みは10ｍｍとした。収納ケース１の片側の一側表面に第１のマグネット部２ａ，２ｂを設け、反対側の一側表面にに第２のマグネット部３ａ，３ｂを設けた。マグネット２ａおよび３ａはケースを閉じた状態で重ねたとき、互いに対応する位置に取り付けられ、マグネット２ｂおよび３ｂはケース上下の対応する位置に設けてある。これによって収納ケース同士がマグネットの吸引力によって一体化することが出来る。マグネット部を設ける方法としては、予め収納ケースの成形時に、マグネットを配設する為の凹部を設けて、そこにマグネットを貼り付けても良いし、マグネット部に収納ケースを成形するプラスチック材料に予めマグネットを混ぜた材料を用いて２色成形しても良い。また、第２のマグネット部３ａ，３ｂに変えてマグネット吸着可能な金属プレートを用いても良い。
【００１２】
このように作成した複数の収納ケースを一体化した状態を図２に示す。それぞれの収納ケースは、マグネット部２ａ，２ｂおよび３ａ，３ｂが互いに吸引し合うことで、収納ケース同士を一体化することが可能である。このときマグネットの磁力は収納ケースの着脱強度に応じて適宜変更することが可能である。このように複数枚の収納ケースを机上などに置いたときにも、収納ケースが安定して置かれ散乱を防止することができる。
【実施例２】
【００１３】
実施例２では、図３に示すようなミニディスクで用いられている収納ケースに対してマグネットの配置した変形例である。マグネットは本体ケース両側に対応した位置に配設してある。このように、収納ケースの形状によってマグネットの位置や大きさも適宜変更することが可能である。
【実施例３】
【００１４】
実施例１の収納ケースに対して厚みを５ｍｍとし、マグネットを一側表面の２ａ、２ｂのみに配置した収納ケースを作成した。厚みが５ｍｍと薄くなっているので、方面にマグネットを配置するのみでも、他の収納ケースと一体化することが容易に出来る。
【実施例４】
【００１５】
実施例１の収納ケースに対して厚みを５ｍｍとし、マグネットを図５に示すように、ケース片側に両側表面に貫通して配置した収納ケースを作成した。マグネットを片面のみに配置したが、マグネット部分を上下貫通して用いていることで、他の収納ケースと一体化することが容易に出来る。またこのようにマグネットを鉢下収納ケースでは、位置規制部分にケースの一部を当接させることで、ケースを整理することが容易になる。
【図面の簡単な説明】
【００１６】
【図１】本発明における収納ケースの構成の一例を示す模式図である
【図２】本発明における収納ケースを複数枚一体化したときの模式図である
【図３】本発明における収納ケースの構成の一例を示す模式図である
【図４】従来の収納ケースの一例を示す模式図である
【図５】本発明における収納ケースの構成の一例を示す模式図である
【符号の説明】
【００１７】
１    収納ケース
２、２ａ、２ｂ    マグネット
３、３ａ、３ｂ    マグネット
【図１】
2005206228.tif 000003
【図２】
2005206228.tif 000004
【図３】
2005206228.tif 000005
【図４】
2005206228.tif 000006
【図５】
2005206228.tif 000007